(57)【要約】【課題】ユーザが容易に電子機器の筐体を把持できるようにすることで、ユーザの利便性を向上させる。【解決手段】ユーザ操作（７ａ）により指定された入力面（４１）における位置と、当該入力面の地面に対する角度情報（２ｂ）とを取得する角度取得部（１１ｂ）と、角度情報（２ｂ）が地面に対して略垂直である場合、入力面（４１）における把持領域で、位置が時間しきい値を超過した時間だけ検知され続けたか否かを判定する位置角度判定部１２ａと、通常状態から休止状態に遷移させる遷移情報（１）を、演算部（３０）に送出する情報送出部（１３）とを備えた。【選択図】図１
2014063221.tif 000002
【特許請求の範囲】
【請求項１】
ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置であって、
前記ユーザの操作により指定された入力面における位置と、当該入力面の地面に対する角度とを取得する取得手段と、
前記取得手段によって取得された角度が地面に対して略垂直である場合、前記入力面における所定の領域で、前記位置が第１のしきい値を超過した時間だけ検知され続けたか否かを判定する判定手段と、
前記判定手段によって第１のしきい値を超過した時間だけ検知され続けたと判定される場合、前記第１の状態から第２の状態に遷移させる遷移情報を、前記被制御装置に送出する送出手段とを備えたことを特徴とする制御装置。
【請求項２】
前記判定手段は、前記取得手段によって取得された少なくとも２つの位置が、前記入力面における所定の線に対して略対称であるか否かをさらに判定し、
前記送出手段は、前記判定手段によって略対称であると判定される場合、前記遷移情報を前記被制御装置に送出しないことを特徴とする請求項１に記載の制御装置。
【請求項３】
前記取得手段は、前記制御装置を含む電子機器の加速度をさらに取得し、
前記判定手段は、前記取得手段によって取得された加速度の大きさと向きとが、それぞれ所定の範囲におさまっているか否かをさらに判定し、
前記送出手段は、前記判定手段によって所定の範囲におさまっていると判定される場合、前記遷移情報を前記被制御装置に送出しないことを特徴とする請求項１または２に記載の制御装置。
【請求項４】
前記取得手段は、前記入力面に接触した面積をさらに取得し、
前記判定手段は、前記取得手段によって取得された面積が第２のしきい値を超過しているか否かをさらに判定し、
前記送出手段は、前記判定手段によって超過していないと判定される場合、前記遷移情報を前記被制御装置に送出しないことを特徴とする請求項１から３のいずれか１項に記載の制御装置。
【請求項５】
前記取得手段は、前記指定された入力面における位置に加わった圧力をさらに取得し、
前記判定手段は、前記取得手段によって取得された圧力が第３のしきい値を超過しているか否かをさらに判定し、
前記送出手段は、前記判定手段によって超過していないと判定される場合、前記遷移情報を前記被制御装置に送出しないことを特徴とする請求項１から４のいずれか１項に記載の制御装置。
【請求項６】
前記送出手段は、前記遷移情報を送出しなかった後、前記取得手段によって取得された角度が変化した場合、当該遷移情報をなお前記被制御装置に送出しないことを特徴とする請求項１から５のいずれか１項に記載の制御装置。
【請求項７】
前記送出手段は、前記遷移情報をなお前記被制御装置に送出しないことによって、電子機器の表示面に表示された表示の向きを、当該電子機器に維持させることを特徴とする請求項６に記載の制御装置。
【請求項８】
ユーザの操作により指定された入力面における位置を検知可能であり、所定の性能で処理を実行する第１の状態および前記所定の性能より低い性能で前記処理を実行する第２の状態のいずれか一方の状態で動作可能な被制御装置であって、
請求項１から７のいずれか１項に記載の制御装置から送出された遷移情報を受信する受信手段と、
前記受信手段によって遷移情報が受信された場合、当該遷移情報によって遷移される状態で所定の処理を実行する実行手段とを備えたことを特徴とする被制御装置。
【請求項９】
ユーザの操作により指定された位置を検知可能な入力面を備えた電子機器であって、
請求項１から７のいずれか１項に記載の制御装置と、
請求項８に記載の被制御装置とを含むことを特徴とする電子機器。
【請求項１０】
ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置の制御方法であって、
前記ユーザの操作により指定された入力面における位置と、当該入力面の地面に対する角度とを取得する取得ステップと、
前記取得ステップにおいて取得された角度が地面に対して略垂直である場合、前記入力面における所定の領域で、前記位置が第１のしきい値を超過した時間だけ検知され続けたか否かを判定する判定ステップと、
前記判定ステップにおいて第１のしきい値を超過した時間だけ検知され続けたと判定される場合、前記第１の状態から第２の状態に遷移させる遷移情報を、前記被制御装置に送出する送出ステップとを含むことを特徴とする制御装置の制御方法。
【請求項１１】
請求項１から７のいずれか１項に記載の制御装置を動作させるための制御プログラムであって、コンピュータを前記各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、被制御装置の動作状態の遷移を制御する制御装置に関するものである。
【背景技術】
【０００２】
タッチパネルなどの入力面を備えた表示面を有する電子機器が広く普及するなか、ユーザが当該電子機器に手書き入力を行う機会が増えている。例えば、タブレット型端末をはじめとする情報端末や一部の家庭用ゲーム機においては、ユーザが指やスタイラスなどの指示具（以下、単に「指示具」と称する）で手書き操作を行うことにより、文字や図形などを入力する形態が一般的である。
【０００３】
したがって、上記電子機器における手書き入力の利便性を向上させる技術が、広く開発されている。例えば、下記の特許文献１には、２つのタッチ領域が検出された場合、両タッチ領域の面積を比較し、小面積のタッチ領域を有効とし、大面積のタッチ領域を無効とするタッチパネル装置が開示されている。
【０００４】
また、下記の特許文献２には、所望の操作キーの操作のみを無効にし、その無効操作を簡易に行うことができる表示機能付き端末装置が開示されている。さらに、下記の特許文献３には、表面と接触する様々な手の部分を識別する方法が開示されている。
【先行技術文献】
【特許文献】
【０００５】
【特許文献１】特開２００６−０３９６８６号公報（２００６年０２月０９日公開）
【特許文献２】特開２００９−１８１２４４号公報（２００９年０８月１３日公開）
【特許文献３】特開２０１２−０９９１６１号公報（２０１２年０５月２４日公開）
【発明の概要】
【発明が解決しようとする課題】
【０００６】
図７に基づいて、従来の電子機器の問題点を説明する。図７は、従来の電子機器の問題点が現れるシーンを表した模式図である。図７の（ａ）は、ユーザが電子機器を持ち歩く様子を表し、（ｂ）は、その場合にユーザの指が入力面に接触していることを表す。
【０００７】
図７の（ａ）および（ｂ）に示すように、ユーザが電子機器を持ち歩いた場合、当該電子機器を把持する指や掌底（母指球および小指球）が入力面に接触したままの状態となることが多い。上記入力面を備えた表示面の筐体に占める割合が増加するに伴って、当該筐体において把持可能な部分が減少しているからである。
【０００８】
上記状態において、上記の特許文献１に記載されたタッチパネル装置に例示される従来の電子機器は、上記接触によって当該電子機器に入力のための操作が行われたと誤認識する。したがって、ユーザが電子機器を持ち歩くのみで、当該電子機器を操作していない場合であっても、従来の電子機器は休止状態に遷移できない。上記の特許文献２および３に記載された従来の技術においても、同様の問題がある。
【０００９】
本発明は、上記の問題点に鑑みてなされたものであり、その目的は、入力面で検知した情報を識別し、ユーザが容易に筐体を把持できるようにすることによって、ユーザの利便性を向上させる制御装置等を提供することである。
【課題を解決するための手段】
【００１０】
上記課題を解決するために、本発明の一態様に係る制御装置は、ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置であって、前記ユーザの操作により指定された入力面における位置と、当該入力面の地面に対する角度とを取得する取得手段と、前記取得手段によって取得された角度が地面に対して略垂直である場合、前記入力面における所定の領域で、前記位置が第１のしきい値を超過した時間だけ検知され続けたか否かを判定する判定手段と、前記判定手段によって第１のしきい値を超過した時間だけ検知され続けたと判定される場合、前記第１の状態から第２の状態に遷移させる遷移情報を、前記被制御装置に送出する送出手段とを備えている。
【００１１】
また、上記課題を解決するために、本発明の一態様に係る制御装置の制御方法は、ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置の制御方法であって、前記ユーザの操作により指定された入力面における位置と、当該入力面の地面に対する角度とを取得する取得ステップと、前記取得ステップにおいて取得された角度が地面に対して略垂直である場合、前記入力面における所定の領域で、前記位置が第１のしきい値を超過した時間だけ検知され続けたか否かを判定する判定ステップと、前記判定ステップにおいて第１のしきい値を超過した時間だけ検知され続けたと判定される場合、前記第１の状態から第２の状態に遷移させる遷移情報を、前記被制御装置に送出する送出ステップとを含んでいる。
【発明の効果】
【００１２】
本発明の一態様に係る制御装置および当該装置の制御方法は、入力面で検出した情報が、ユーザが当該制御装置を含む電子機器を把持するために接触させた指によって入力されたものか、ユーザが当該電子機器を操作するために接触させた指示具によって入力されたものかを適切に識別し、前者によって入力された情報と識別される場合、上記制御装置等は被制御装置に遷移情報を送出できる。
【００１３】
したがって、本発明の一態様に係る制御装置および当該装置の制御方法は、ユーザに上記電子機器の筐体を容易に把持させることができるため、ユーザの利便性を向上させることができるという効果を奏する。
【図面の簡単な説明】
【００１４】
【図１】本発明の一実施の形態に係るタブレット型端末の要部構成を示すブロック図である。
【図２】（ａ）は、上記タブレット型端末の外観例を表した模式図であり、（ｂ）は、ユーザによる当該タブレット型端末の操作例を表した模式図である。
【図３】入力面における把持領域の例を示した模式図である。
【図４】位置角度判定部によって所定の判定がなされる場合の、ユーザによる上記タブレット型端末の使用態様を表す模式図であり、（ａ）は、ユーザが上記タブレット型端末を両手で把持する様子を示し、（ｂ）は、ユーザの肘が床についた状態で、当該ユーザが上記タブレット型端末を片手で把持する様子を示す。
【図５】上記タブレット型端末で実行される処理の前半部分の一例を示すフローチャートである。
【図６】上記タブレット型端末で実行される処理の後半部分の一例を示すフローチャートである。
【図７】従来の電子機器の問題点が現れるシーンを表した模式図であり、（ａ）は、ユーザが電子機器を持ち歩く様子を表し、（ｂ）は、その場合にユーザの指が入力面に接触していることを表す。
【発明を実施するための形態】
【００１５】
図１〜図６に基づいて、本発明の実施の形態を詳細に説明する。
【００１６】
〔タブレット型端末１００の概要〕
図１に基づいて、タブレット型端末１００の概略を説明する。図１は、タブレット型端末１００の要部構成を示すブロック図である。
【００１７】
タブレット型端末（電子機器）１００は、ユーザの操作により指定された位置（以下では「接触位置」ともいう）を検知可能な入力面４１を備えた機器である。図１に示すように、タブレット型端末１００は、制御部１０と演算部３０とを含む。
【００１８】
制御部（制御装置）１０は、ユーザ操作（ユーザの操作）７ａにより指定された入力面４１における位置を検知可能な演算部３０が所定の性能で処理を実行する通常状態（第１の状態）と、当該所定の性能より低い性能で処理を実行する休止状態（第２の状態）との間で、当該演算部を遷移させる遷移情報１を送出する。
【００１９】
演算部（被制御装置）３０は、ユーザ操作７ａにより指定された入力面４１における位置を検知可能であり、所定の性能で処理を実行する通常状態および当該所定の性能より低い性能で処理を実行する休止状態のいずれか一方の状態で動作する。
【００２０】
ここで、休止状態（第２の状態）とは、演算部３０に含まれる一部の機能を停止させたり、演算部３０が動作する周波数や電圧等を変更したりすることによって、消費電力や性能などを抑制している状態をいう。休止状態は、省電力状態や縮退状態など、「通常の性能より低い性能で処理を実行する状態」を広く含む。
【００２１】
一方、通常状態（第１の状態）とは休止状態でない状態をいい、「通常の性能」（所定の性能）とは、通常状態で発揮される演算部３０の性能をいう。一般的なタブレット型端末は、入力面によって一定時間ユーザの操作が検知されない場合、通常状態から休止状態に遷移し、入力面によってユーザの操作が検知された場合、休止状態から通常状態に遷移することが通常である。
【００２２】
前述したように、例えばユーザがタブレット型端末を持ち歩く場合、当該タブレット型端末を把持するユーザの指（掌底（母指球および小指球）を含む）が入力面に接触したままの状態となることが考えられる。
【００２３】
この状態において、従来のタブレット型端末は、上記接触によって当該タブレット型端末に入力のための操作が行われたと誤認識する。したがって、ユーザがタブレット型端末を持ち歩くのみで、当該タブレット型端末を操作していない場合であっても、従来のタブレット型端末は、休止状態に遷移することができない。
【００２４】
一方、タブレット型端末１００においては、入力面４１によって検出された接触が、当該タブレット型端末を操作するユーザの指によるものか、当該タブレット型端末を把持するユーザの指によるものかを、制御部１０が識別する。後者と識別される場合、制御部１０は、遷移情報１を演算部３０に送出する。当該遷移情報を受信した演算部３０は、休止状態に遷移して、当該タブレット型端末の所定の処理を実行する。
【００２５】
なお、休止状態においてタブレット型端末１００が実行する所定の処理は、例えばメールの着信を監視したり、メモリに展開したデータを再配置したりなど、ユーザによる明示的な操作を必要とすることなく、バックグラウンドで実行可能な処理を含む。ただし、上記所定の処理は上記例に限定されず、他の一般的な処理であってもよい。
【００２６】
したがって、タブレット型端末１００、制御部１０、演算部３０は、ユーザに筐体を容易に把持させることができるため、ユーザの利便性を向上させることができる。
【００２７】
〔タブレット型端末１００の外観および操作例〕
図２に基づいて、タブレット型端末１００の外観および操作の一例を説明する。図２の（ａ）は、タブレット型端末１００の外観例を表した模式図であり、図２の（ｂ）は、ユーザによるタブレット型端末１００の操作例を表した模式図である。
【００２８】
図２の（ａ）に示すように、タブレット型端末１００は、入力面４１、表示面７２、および電源スイッチ４３を備える。
【００２９】
なお、各構成が有する機能を明示するために、図１は入力面４１と表示面７２とを分離して示すが、例えば入力面４１をタッチパネルで、表示面７２を液晶ディスプレイで実現する場合、図２の（ａ）に示すように、両者は一体として構成されてよい。これにより、入力面４１に対するスタイラス４の接触位置と、表示面７２が当該接触に応じて表示する図形等の表示位置とが一致するため、ユーザは自然な入力感覚を得ることができる。
【００３０】
図２の（ｂ）に示すように、ユーザはスタイラス４を用いて入力面４１をタッチし、タブレット型端末１００に当該入力面における位置を指定することにより（入力面上の座標を与えることにより）、アイコンを選択するなどの指示情報をタブレット型端末１００に与えることができる。
【００３１】
なお、図２の（ｂ）は、ユーザがタブレット型端末１００を左手で把持し、右手に把持したスタイラス４を入力面４１に接触させる様子を図示した。しかし、ユーザがタブレット型端末１００またはスタイラス４を把持する手は、右手であってもよいし、左手であってもよい。
【００３２】
また、ユーザはタブレット型端末１００を操作するために、スタイラスなどの指示具ではなく指を用いることもできる。すなわち、本記載をとおして、「スタイラス」および「指示具」には「ユーザの指」が含まれる。
【００３３】
さらに、「ユーザが入力面にスタイラスを接触させる」として説明した。しかし、入力面４１が、例えばスタイラスの近接を検知可能なタッチパネルである場合、タブレット型端末１００は、入力面４１に対するスタイラスの近接を検出することによっても、接触の場合と同様に動作可能である。
【００３４】
上記のように、タブレット型端末１００は携帯型の情報端末である。ここで、タブレット型端末１００と同等の機能は、携帯電話、スマートフォン、パーソナルコンピュータなどでも実現できることに注意する。すなわち、所定の動作に必要な情報を取得可能な電子機器でありさえすれば、端末はタブレット型端末でなくともよい。
【００３５】
〔タブレット型端末１００の構成〕
図１に基づいて、タブレット型端末１００の構成を説明する。なお、記載の簡潔性を担保する観点から、本実施の形態に直接関係のない部分は構成の説明およびブロック図から省略した（例えば、図２は電源スイッチ４３を示すが、図１はこれを省略した）。ただし、実施の実情に則して、タブレット型端末１００は当該省略した構成を含んでもよい。
【００３６】
以下、入力部４０（入力面４１、入力制御部４２）、制御部１０（位置情報取得部１１ａ、角度取得部１１ｂ、加速度取得部１１ｃ、圧力取得部１１ｄ、面積取得部１１ｅ）、演算部３０（情報受信部３１、アプリケーション実行部３２）、表示部７０（表示制御部７１、表示面７２）の順序で各構成が担う機能を説明する。
【００３７】
入力部４０は、ユーザからの操作（ユーザ操作７ａ）を受け付ける。入力部４０は、入力面４１と入力制御部４２とを含む。
【００３８】
入力面４１は、当該入力面に接触したスタイラス４の当該入力面上における位置の情報を含む入力信号７ｂを入力制御部４２に出力する。なお、入力面４１は、入力信号７ｂを出力可能な機器でありさえすれば、ハードウェアの種類はタッチパネルに限定されない。
【００３９】
入力制御部４２は、入力面４１から入力信号７ｂを所定の時間間隔で取得し、当該入力信号に含まれる入力面４１における位置情報２ａ（例えば２次元の座標）を位置取得部１１ａおよび演算部３０に出力する。また、入力制御部４２は、当該入力信号を計測部２０（角度計測部２１、加速度計測部２２、圧力計測部２３、面積計測部２４）に出力する。
【００４０】
計測部２０は、入力面４１の地面に対する角度、タブレット型端末１００の加速度、接触位置の圧力、および接触位置の面積を計測可能な各種センサを備えた機器である。計測部２０は、角度計測部２１、加速度計測部２２、圧力計測部２３、および面積計測部２４を含む。
【００４１】
角度計測部２１は、入力面４１の地面に対する角度を示す情報（角度情報２ｂ）を取得し、当該角度情報を角度取得部１１ｂに出力する。角度計測部２１は、例えばジャイロセンサで実現できる。
【００４２】
加速度計測部２２は、タブレット型端末１００の加速度を示す情報（加速度情報２ｃ）を取得し、当該加速度情報を加速度取得部１１ｃに出力する。加速度計測部２２は、例えば加速度センサで実現できる。
【００４３】
圧力計測部２３は、入力面４１の接触位置に加わった圧力を示す情報（圧力情報２ｄ）を取得し、当該圧力情報を圧力取得部１１ｄに出力する。圧力計測部２３は、例えば入力面４１に一体として形成された圧力センサで実現できる。
【００４４】
面積計測部２４は、接触面積（入力面４１に接触した指の面積）を示す情報（面積情報２ｅ）を取得し、当該面積情報を面積取得部１１ｅに出力する。入力面４１が静電容量方式を採用したタッチパネルの場合、特別なセンサを搭載しなくとも、接触面積は従来の技術により取得可能である。
【００４５】
面積計測部２４は、面積情報２ｅを圧力計測部２３に出力してもよい。この場合、圧力計測部２３は、面積計測部２４から入力された面積情報２ｅに応じた圧力を計測できる。すなわち、入力面４１に加わる圧力が強いほど、スタイラス４またはユーザの指や掌底（母指球および小指球）が当該入力面に接触する面積が増加することから、圧力計測部２３は、例えば面積情報２ｅを入力とする所定の関数にしたがう計算（例えば、指数関数などの非線形な関数にしたがう計算など）を行うことによっても圧力情報２ｄを取得できる。
【００４６】
制御部（制御装置）１０は、演算部３０に遷移情報１を送出することによって、当該演算部を通常状態と休止状態との間で遷移させることができる。制御部１０は、情報取得部１１（位置取得部１１ａ、角度取得部１１ｂ、加速度取得部１１ｃ、圧力取得部１１ｄ、面積取得部１１ｅ）、条件判定部１２（位置角度判定部１２ａ、加速度判定部１２ｂ、圧力判定部１２ｃ、面積判定部１２ｄ）、および情報送出部１３を含む。
【００４７】
情報取得部（取得手段）１１は、計測部２０から出力された情報を取得し、条件判定部１２に出力する。情報取得部１１は、位置取得部１１ａ、角度取得部１１ｂ、加速度取得部１１ｃ、圧力取得部１１ｄ、および面積取得部１１ｅを含む。
【００４８】
位置取得部（取得手段）１１ａは、入力制御部４２から位置情報２ａが入力されると、当該位置情報を位置角度判定部１２ａに出力する。
【００４９】
角度取得部（取得手段）１１ｂは、角度計測部２１から角度情報２ｂが入力されると、当該角度情報を位置角度判定部１２ａに出力する。
【００５０】
加速度取得部（取得手段）１１ｃは、加速度計測部２２から加速度情報２ｃが入力されると、当該加速度情報を加速度判定部１２ｂに出力する。
【００５１】
圧力取得部（取得手段）１１ｄは、圧力計測部２３から圧力情報２ｄが入力されると、当該圧力情報を圧力判定部１２ｃに出力する。
【００５２】
面積取得部（取得手段）１１ｅは、面積計測部２４から面積情報２ｅが入力されると、当該面積情報を面積判定部１２ｄに出力する。
【００５３】
条件判定部（判定手段）１２は、情報取得部１１から入力された各種の情報が所定の条件を満たしているか否かを判定することにより、入力面４１によって検出された接触が、当該タブレット型端末を操作するユーザの指によるものか、当該タブレット型端末を把持するユーザの指によるものかを識別する。条件判定部１２は、位置角度判定部１２ａ、加速度判定部１２ｂ、圧力判定部１２ｃ、および面積判定部１２ｄを含む。
【００５４】
位置角度判定部（判定手段）１２ａは、角度取得部１１ｂによって取得された角度情報２ｂが、地面に対して略垂直であるか否かを判定する。略垂直であると判定される場合、位置角度判定部１２ａは、入力面４１における把持領域（所定の領域）８で、接触位置が時間しきい値（第１のしきい値、例えば５秒）を超過した時間だけ検知され続けたか否かを判定し、その判定結果３ａを情報送出部１３に出力する。
【００５５】
図３に基づいて、把持領域８を説明する。図３は、入力面４１における把持領域８の例を示した模式図である。図３に示すように、ユーザがタブレット型端末１００を持ち歩く通常の形態を考えれば（前述した図７の（ａ）参照）、入力面４１の端部から所定の幅（例えば８ｃｍ）を有する領域を、把持領域８とすることが好ましい。
【００５６】
なお、把持領域８は、図３が示す領域に限られない。例えば、把持領域８は、入力面４１の端部の中央に配置された円弧の内部であってもよい。
【００５７】
位置角度判定部１２ａは、位置取得部１１ａによって取得された少なくとも２つの位置情報２ａが、入力面４１における中央線（所定の線）６に対して略対称であるか否かを判定し、その判定結果３ａを情報送出部１３に出力する。なお、２つの位置情報２ａは、いずれも入力面４１において、ユーザによって指定された位置（接触位置）の情報である。
【００５８】
図４に基づいて、位置角度判定部１２ａが所定の線に対して略対称と判定する具体例を説明する。図４は、位置角度判定部１２ａによって上記判定がなされる場合の、ユーザによるタブレット型端末１００の使用態様を表す模式図である。図４の（ａ）は、ユーザがタブレット型端末１００を両手で把持する様子を示し、（ｂ）は、ユーザの肘が床についた状態で、当該ユーザがタブレット型端末１００を片手で把持する様子を示す。
【００５９】
図４の（ａ）に示すように、ユーザがタブレット型端末１００の下部を両手で把持して使用する場合、当該タブレット型端末は、地面に対して略垂直の姿勢になりやすい。図４の（ｂ）に示すように、ユーザは肘を床や机につけた状態で、タブレット型端末１００の下部を把持し、当該タブレット型端末を支えることが多いからである。
【００６０】
この場合、把持領域８で入力面４１に指が接触することがあるが、位置角度判定部１２ａは、２つの接触位置が、入力面４１における中央線６に対して略対称である場合、接触位置が時間しきい値を超過した時間だけ検知され続けても、時間しきい値を超過したことを示す判定結果３ａを情報送出部１３に出力しない。
【００６１】
当該判定結果に代えて、位置角度判定部１２ａは、略対称であることを示す判定結果３ａを情報送出部１３に出力する。当該判定結果３ａが入力された場合、情報送出部１３は、遷移情報１を演算部３０に送出しない。
【００６２】
これによりユーザがタブレット型端末１００を真に使用している場合に、制御部１０は演算部３０に不要な状態遷移を行わせることがないため、ユーザによるタブレット型端末１００の使用を阻害しない。したがって、タブレット型端末１００、制御部１０、演算部３０は、ユーザの利便性をさらに向上させることができる。
【００６３】
位置角度判定部１２ａは、角度取得部１１ｂから入力された角度情報２ｂが示す角度が、９０°±１０°の範囲におさまっているか否かを判定し、その判定結果３ａを表示制御部７１に出力する。
【００６４】
加速度判定部（判定手段）１２ｂは、加速度取得部１１ｃによって取得された加速度情報２ｃによって示される加速度の垂直方向の値が±0.06（Ｇ）、または水平方向の値が0〜0.3（Ｇ）の範囲（所定の範囲）におさまっているか否かを判定し、その判定結果３ｂを情報送出部１３に出力する。
【００６５】
圧力判定部（判定手段）１２ｃは、圧力取得部１１ｄによって取得された圧力情報２ｄによって示される圧力の値が、圧力しきい値を超過しているか否かを判定し、その判定結果３ｃを情報送出部１３に出力する。
【００６６】
圧力しきい値（第３のしきい値）λ１は、例えば以下の式で表される。
【００６７】
【数１】
2014063221.tif 000003
【００６８】
ここで、ｍはタブレット型端末１００の重量（ｋｇ）、ｇは重力加速度（ｍ／ｓ２）、μは静止摩擦係数を表す。ｍ＝0.220、ｇ＝9.80665、μ＝0.4のとき、上式によれば、圧力情報２ｄによって示される圧力の値がλ１＝5.3936575≒5.4（Ｎ）を超える場合、圧力判定部１２ｃは、当該圧力の値が圧力しきい値を超過したことを示す判定結果３ｃを情報送出部１３に出力する。
【００６９】
面積判定部（判定手段）１２ｄは、面積取得部１１ｅによって取得された面積情報２ｅによって示される面積の値が、面積しきい値を超過しているか否かを判定し、その判定結果３ｄを情報送出部１３に出力する。
【００７０】
面積しきい値（第２のしきい値）λ２は、例えば以下の式で表される。
【００７１】
【数２】
2014063221.tif 000004
【００７２】
ここで、Ｓは圧力を加えない場合の母指（すなわち、入力面４１に触れていない場合の通常時の母指）の大きさ（ｍｍ２）、ａは圧力に依存して決まる定数を表す。指が入力面４１に接触する場合、その接触面積は圧力による１次関数にしたがって、０〜Ｓの範囲で変化する。例えば、Ｓ＝461ｍｍ２の母指に５Ｎの圧力を加えた場合、Ｓのａ=0.8倍の大きさとなるため、面積値１ｂがλ２＝461×0.8＝3.688≒3.7（ｍｍ２）を超える場合、面積判定部１２ｄは、当該面積の値が面積しきい値を超過したことを示す判定結果３ｄを情報送出部１３に出力する。
【００７３】
また、Ｓ＝461ｍｍ２の母指に２Ｎの圧力を加えた場合、圧力を加えない場合のａ=0.6倍の大きさとなるため、面積値１ｂがλ２＝461×0.6＝2.766≒2.8（ｍｍ２）を超える場合、面積判定部１２ｄは、当該面積の値が面積しきい値を超過したことを示す判定結果３ｄを情報送出部１３に出力する。
【００７４】
情報送出部（送出手段）１３は、位置角度判定部１２ａから時間しきい値を超過した時間だけ検知され続けたことを示す判定結果３ａが入力された場合、通常状態から休止状態に遷移させる遷移情報１を、演算部３０に送出する。
【００７５】
ただし、（１）位置角度判定部１２ａから略対称であることを示す判定結果３ａが入力された場合、（２）加速度判定部１２ｂから所定の範囲におさまっていることを示す判定結果３ｂが入力された場合、（３）圧力判定部１２ｃから圧力しきい値を超過していないことを示す判定結果３ｃが入力された場合、（４）面積判定部１２ｄから面積しきい値を超過していないことを示す判定結果３ｄが入力された場合、情報送出部１３は、遷移情報１を演算部３０に送出しない。
【００７６】
すなわち、加速度、圧力、面積に基づいて、ユーザはタブレット型端末１００を安定した状態（例えば、机の上に乗せた状態）で使用していると推測できる場合（すなわち、ユーザがタブレット型端末１００を真に使用していると判定できる場合）、情報送出部１３は、遷移情報１を演算部３０に送出しない。
【００７７】
これにより、制御部１０は演算部３０に不要な状態遷移を行わせることがないため、ユーザによる当該タブレット型端末の使用を阻害しない。したがって、制御部１０は、ユーザの利便性をさらに向上させることができる。
【００７８】
ここで、入力面４１で検出した情報は、ユーザがタブレット型端末１００を操作するために接触させた指示具等によって入力されたもの（ユーザはタブレット型端末１００を操作中である）と、制御部１０が判定したことにより、遷移情報１を送出しなかった状況を考える。この状況の後、例えばユーザが寝転がった体勢をとったことにより、上記角度が変化したした場合、変化した後もユーザは上記電子機器を操作中と推測できる。
【００７９】
そこで、情報送出部１３が遷移情報１を送出しなかった後、角度取得部１１ｂによって取得された角度情報２ｂが変化した場合、当該情報送出部は、当該遷移情報をなお演算部３０に送出しない。これにより、制御部１０は演算部３０に不要な状態遷移を行わせることがないため、ユーザによるタブレット型端末１００の使用を阻害しない。したがって、制御部１０は、ユーザの利便性をさらに向上させることができる。
【００８０】
また、上記の場合、情報送出部１３は、タブレット型端末１００の表示面７２に表示された表示の向きを、当該タブレット型端末に変更させないことができる。すなわち、情報送出部１３は、演算部３０に不要な状態遷移を行わせないだけでなく、タブレット型端末１００の表示の向きを変更しない。これにより、角度を変えた前後でユーザは同じ表示を視認できる。したがって、制御部１０は、ユーザの利便性をさらに向上させることができる。
【００８１】
演算部（被制御装置）３０は、ユーザ操作７ａにより指定された入力面４１における位置を検知可能であり、所定の性能で処理を実行する通常状態および当該所定の性能より低い性能で処理を実行する休止状態のいずれか一方の状態で動作する。演算部３０は、情報受信部３１とアプリケーション実行部３２とを含む。
【００８２】
情報受信部（受信手段）３１は、制御部１０から送出された遷移情報１を受信し、当該遷移情報をアプリケーション実行部３２に出力する。また、情報受信部３１は、入力制御部４２から入力された位置情報２ａに基づいて、ユーザ操作７ａによって指定されたコマンド５（例えば、アイコンがタッチされたことを検知することによって、所定のアプリケーションを起動するなどの処理）を特定し、当該コマンドをアプリケーション実行部３２に出力する。
【００８３】
アプリケーション実行部（実行手段）３２は、情報受信部３１によって遷移情報１が受信された場合、当該遷移情報によって遷移される状態で所定の処理を実行する。また、情報受信部３１からコマンド５が入力された場合、アプリケーション実行部３２は、当該コマンドを実行し、実行した結果（実行結果７ｃ）を表示制御部７１に出力する。
【００８４】
表示部７０は、演算部３０の内部で処理された結果の情報（実行結果７ｃ）をユーザに対して表示する。表示部７０は、表示制御部７１と表示面７２とを含む。
【００８５】
表示制御部７１は、実行結果７ｃを表示面７２に表示できるように、表示用データ７ｄを表示面７２へ出力する。表示用データ７ｄは、例えばビットマップ形式の画像であってよいし、他の形式に従う画像、またはその他表示に適したデータ形式であってもよい。なお、表示制御部７１は、表示すべき内容を表示用データ７ｄへ形式変換できるものを含んでいればよく、例えば一般的なディスプレイアダプタでよい。
【００８６】
また、表示制御部７１は、角度情報２ｂが示す角度が、９０°±１０°の範囲におさまっていることを示す判定結果３ａが位置角度判定部１２ａから入力された場合、表示面７２に表示している現在の画面を回転させる。
【００８７】
表示面７２は、表示制御部７１から入力される表示用データ７ｄを表示する装置である。本実施の形態では主に液晶ディスプレイ（Liquid Crystal Display；ＬＣＤ）を想定しているが、表示機能を有する装置（例えば、表示制御部７１から入力された表示用データ７ｄに基づき、表示素子を駆動するドライバ回路を備えた装置）でありさえすればハードウェアの種類は限定されない。
【００８８】
〔タブレット型端末１００が実行する処理〕
図５および図６に基づいて、タブレット型端末１００で実行される処理の流れを説明する。図５は、タブレット型端末１００で実行される処理の前半部分の一例を示すフローチャートである。図６は、タブレット型端末１００で実行される処理の後半部分の一例を示すフローチャートである。
【００８９】
なお、図面の大きさの制約上、一連の処理の前半を示す図５と、後半を示す図６とに分割して、当該一連の処理を表現している。また、以下の説明において、カッコ書きの「〜ステップ」は制御方法の各ステップを表す。
【００９０】
タブレット型端末１００の入力面４１が接触を検知すると（ステップ１においてＹＥＳ、以下では「ステップ１」を「Ｓ１」などのように略記する）、位置取得部１１ａは接触の位置情報２ａを取得する（Ｓ２、取得ステップ）。
【００９１】
位置角度判定部１２ａは、角度取得部１１ｂによって取得された角度情報２ｂが示す角度が、９０°±１０°の範囲におさまっているか否かを判定する（Ｓ３）。おさまっていると判定される場合（Ｓ３においてＹＥＳ）、表示制御部７１は、表示面７２に表示している現在の画面を回転させる（Ｓ４）。
【００９２】
おさまっていないと判定される場合（Ｓ３においてＮＯ）、圧力判定部１２ｃは、圧力取得部１１ｄによって取得された圧力情報２ｄが示す圧力が、５.４Ｎ（圧力しきい値）以上であるか否かを判定する（Ｓ５）。圧力しきい値以上であると判定される場合（Ｓ５においてＹＥＳ）、位置角度判定部１２ａは、上記角度が地面に対して略垂直であるか否かを判定する（Ｓ６、判定ステップ）。
【００９３】
略垂直であると判定される場合（Ｓ６においてＹＥＳ）、位置角度判定部１２ａは、位置情報２ａが示す接触位置が、把持領域８の内部であるか否かを判定する（Ｓ７、判定ステップ）。把持領域８の内部であると判定される場合（Ｓ７においてＹＥＳ）、位置角度判定部１２ａは、時間しきい値を越えて接触を検知したか否かを判定する（Ｓ８、判定ステップ）。
【００９４】
時間しきい値を越えて接触を検知したと判定される場合（Ｓ８においてＹＥＳ）、加速度判定部１２ｂは、加速度取得部１１ｃによって取得された加速度情報２ｃが示す加速度が、所定の範囲におさまっているか否かを判定する（Ｓ９）。
【００９５】
おさまっていないと判定される場合（Ｓ９においてＮＯ）、面積判定部１２ｄは、面積取得部１１ｅによって取得された面積情報２ｅが示す加速度が、３.７ｍｍ２（面積しきい値）以上であるか否かを判定する（Ｓ１０）。面積しきい値以上であると判定される場合（Ｓ１０においてＹＥＳ）、情報送出部１３は、演算部３０を通常状態から休止状態へ遷移させる遷移情報１を、当該演算部に送出する（Ｓ１１、送出ステップ）。
【００９６】
演算部３０の情報受信部３１は、情報送出部１３から送出された遷移情報１を受信する（Ｓ１２）。アプリケーション実行部３２は、当該遷移情報によって遷移される状態で所定の処理を実行する（Ｓ１３）。
【００９７】
次に、タブレット型端末１００の入力面４１が接触を検知しない間（Ｓ１４においてＮＯ）、位置角度判定部１２ａは、角度取得部１１ｂによって取得された角度情報２ｂが示す角度が、３０°以下であるか否かを判定する（Ｓ１５）。３０°以下でないと判定される場合（Ｓ１５においてＮＯ）、情報送出部１３は、演算部３０を休止状態から通常状態へ遷移させる遷移情報１を、当該演算部に送出する（Ｓ１８）。
【００９８】
一方、タブレット型端末１００の入力面４１が接触を検知すると（Ｓ１４においてＹＥＳ）、圧力判定部１２ｃは、圧力取得部１１ｄによって取得された圧力情報２ｄが示す圧力が、１.０Ｎ以下であるか否かを判定する（Ｓ１６）。１.０Ｎ以下でないと判定される場合（Ｓ１６においてＮＯ）、入力制御部４２は、上記接触による位置を追加する（Ｓ１７）。
【００９９】
演算部３０の情報受信部３１は、情報送出部１３から送出された遷移情報１を受信する（Ｓ１９）。アプリケーション実行部３２は、当該遷移情報によって遷移される状態で所定の処理を実行する（Ｓ２０）。
【０１００】
〔変形例〕
（ユーザの指と掌底との識別）
条件判定部１２は、入力面４１によって検知された接触位置の圧力や面積に基づいて、当該入力面にユーザの掌底が接触しているか否かを判定できる。掌底が接触していると判定される場合、情報送出部１３は、遷移情報１を直ちに演算部３０に送出してよい。入力面４１に掌底が接触している状況は、ユーザはタブレット型端末１００を操作していない可能性が高いからである。
【０１０１】
一方、当該入力面にユーザの指が接触していると判定される場合、情報送出部１３は、所定の時間だけ待機した後で、遷移情報１を演算部３０に送出してよい。入力面４１に指が接触している状況は、ユーザがタブレット型端末１００を操作している可能性があるからである。
【０１０２】
このように、ユーザの指と掌底との識別することによって、制御部１０は演算部３０に通常状態から休止状態へ遷移させるタイミングを制御できる。したがって、タブレット型端末１００、制御部１０、演算部３０は、ユーザの利便性をさらに向上させることができる。
【０１０３】
（タブレット型端末１００の持ち替え）
ユーザによって入力面４１の上端部が把持されていると、位置角度判定部１２ａが判定した後、当該入力面の下端部が把持されたと判定した場合、情報送出部１３は、遷移情報１を演算部３０に送出しなくともよい。
【０１０４】
例えば、ユーザが寝転がってタブレット型端末１００を使用している場合など、当該タブレット型端末を把持するユーザの手が、入力面４１に設定された絶対座標よりも上方に位置する場合がある。この状態では、ユーザはタブレット型端末を把持し続けにくいため、持ち替えを行うことが多い。
【０１０５】
上記場合において、情報送出部１３が遷移情報１を演算部３０に送出しないことによって、制御部１０は演算部３０に不要な状態遷移を行わせることがないため、ユーザによる当該タブレット型端末の使用を阻害しない。したがって、タブレット型端末１００、制御部１０、演算部３０は、ユーザの利便性をさらに向上させることができる。
【０１０６】
（入力面４１の角度を利用した変形例）
ユーザはタブレット型端末１００を把持していないと、条件判定部１２が判定した後、入力面４１の地面に対する角度が略垂直であり、所定の時間（例えば５秒間）に当該タブレット型端末の加速度が所定の範囲におさまっていると、当該条件判定部が判定した場合、情報送出部１３は、遷移情報１を演算部３０に送出しなくともよい。
【０１０７】
ユーザがタブレット型端末１００を机や床に自立させたり、壁などに立てかけたり、把持しないまま当該タブレット型端末を指で支えたりした状態で、当該タブレット型端末を使用することが考えられる。
【０１０８】
したがって、上記場合において、情報送出部１３が遷移情報１を演算部３０に送出しないことによって、制御部１０は演算部３０に不要な状態遷移を行わせることがないため、ユーザによる当該タブレット型端末の使用を阻害しない。したがって、タブレット型端末１００、制御部１０、演算部３０は、ユーザの利便性をさらに向上させることができる。
【０１０９】
なお、上記動作は、タブレット型端末１００の表示面７２に、動画等が全画面表示されている場合のみに行ってもよい。
【０１１０】
また、入力面４１が略水平であると位置角度判定部１２ａが判定した場合、情報送出部１３は、遷移情報１を演算部３０に送出してよい。
【０１１１】
ユーザがタブレット型端末１００の利用を中止した場合、当該タブレット型端末の入力面を略水平にした状態で机や床に置くことが考えられる。したがって、上記場合において、情報送出部１３が遷移情報１を演算部３０に送出することによって、制御部１０は演算部３０を直ちに休止状態に遷移させることができる。
【０１１２】
なお、タブレット型端末１００が充電台などの外部機器に接続されたことを、制御部１０が検知できる場合も、情報送出部１３は、遷移情報１を演算部３０に送出してよい。同様に、制御部１０は演算部３０を直ちに休止状態に遷移させることができる。
【０１１３】
〔タブレット型端末１００、制御部１０、演算部３０が奏する効果〕
タブレット型端末１００、制御部１０、演算部３０は、ユーザに筐体を容易に把持させることができるため、ユーザの利便性を向上させることができるという効果を奏する。
【０１１４】
〔まとめ〕
本発明の一態様に係る制御装置（制御部１０）は、
（１）ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置であって、
（２）前記ユーザの操作により指定された入力面における位置と、当該入力面の地面に対する角度とを取得する取得手段と、
（３）前記取得手段によって取得された角度が地面に対して略垂直である場合、前記入力面における所定の領域で、前記位置が第１のしきい値を超過した時間だけ検知され続けたか否かを判定する判定手段と、
（４）前記判定手段によって第１のしきい値を超過した時間だけ検知され続けたと判定される場合、前記第１の状態から第２の状態に遷移させる遷移情報を、前記被制御装置に送出する送出手段とを備えている。
【０１１５】
また、本発明の一態様に係る制御装置の制御方法は、
（１）ユーザの操作により指定された入力面における位置を検知可能な被制御装置が所定の性能で処理を実行する第１の状態と、前記所定の性能より低い性能で前記処理を実行する第２の状態との間で、当該被制御装置を遷移させる遷移情報を送出する制御装置の制御方法であって、
（２）前記ユーザの操作により指定された入力面における位置と、当該入力面の地面に対する角度とを取得する取得ステップと、
（３）前記取得ステップにおいて取得された角度が地面に対して略垂直である場合、前記入力面における所定の領域で、前記位置が第１のしきい値を超過した時間だけ検知され続けたか否かを判定する判定ステップと、
（４）前記判定ステップにおいて第１のしきい値を超過した時間だけ検知され続けたと判定される場合、前記第１の状態から第２の状態に遷移させる遷移情報を、前記被制御装置に送出する送出ステップとを含んでいる。
【０１１６】
〔発明が解決しようとする課題〕において説明したように、入力面で検出した情報が、ユーザが電子機器を把持するために接触させた指によって入力されたものか、ユーザが当該電子機器を操作するために接触させた指示具等（スタイラスなどの指示具やユーザの指を含む）によって入力されたものかを、従来の電子機器は識別できない。
【０１１７】
したがって、当該電子機器を把持する指が入力面に接触したままの状態で、ユーザが当該電子機器を持ち歩いた場合、当該電子機器は、上記接触によって当該電子機器に入力のための操作が行われたと誤認識する。
【０１１８】
これに対し、上記構成（１）〜（４）によれば、入力面の角度が地面に対して略垂直であって、当該入力面における所定の領域で、指定された位置が第１のしきい値を超過した時間だけ検知され続けた場合、本発明の一態様に係る制御装置および当該装置の制御方法は、入力面で検出した情報が、ユーザが当該制御装置を含む電子機器を把持するために接触させた指によって入力されたものと見なす。
【０１１９】
すなわち、上記制御装置等は、入力面で検出した情報が、ユーザが電子機器を把持するために接触させた指によって入力されたものか、ユーザが当該電子機器を操作するために接触させた指示具によって入力されたものかを識別できる。そして、前者によって入力された情報と識別される場合、上記制御装置等は被制御装置に遷移情報を送出できる。
【０１２０】
したがって、本発明の一態様に係る制御装置および当該装置の制御方法は、ユーザに上記電子機器の筐体を容易に把持させることができるため、ユーザの利便性を向上させることができる。
【０１２１】
また、本発明の一態様に係る制御装置では、
（１）前記判定手段は、前記取得手段によって取得された少なくとも２つの位置が、前記入力面における所定の線に対して略対称であるか否かをさらに判定し、
（２）前記送出手段は、前記判定手段によって略対称であると判定される場合、前記遷移情報を前記被制御装置に送出しなくともよい。
【０１２２】
ユーザが上記制御装置を含む電子機器を両手で把持して使用する場合、当該電子機器の入力面は、地面に対して略垂直になりやすい。例えば、ユーザは肘を床や机につけた状態で上記電子機器を把持することが多いからである。この場合、入力面によって検知された位置が、上記所定の領域に含まれることがある。
【０１２３】
上記構成（１）〜（２）によれば、上記制御装置は、入力面によって検知された２つの位置が、当該入力面における所定の線に対して略対称である場合、当該位置が第１のしきい値を超過した時間だけ検知され続けても、上記遷移情報を被制御装置に送出しない。
【０１２４】
これによりユーザが上記電子機器を真に使用している場合に、上記制御装置は被制御装置に不要な状態遷移を行わせることがないため、ユーザによる当該電子機器の使用を阻害しない。したがって、本発明の一態様に係る制御装置は、ユーザの利便性をさらに向上させることができる。
【０１２５】
また、本発明の一態様に係る制御装置では、
（１）前記取得手段は、前記制御装置を含む電子機器の加速度をさらに取得し、
（２）前記判定手段は、前記取得手段によって取得された加速度の大きさと向きとが、それぞれ所定の範囲におさまっているか否かをさらに判定し、
（３）前記送出手段は、前記判定手段によって所定の範囲におさまっていると判定される場合、前記遷移情報を前記被制御装置に送出しなくともよい。
【０１２６】
上記したように、ユーザが上記電子機器を真に使用している場合に、上記制御装置が被制御装置に不要な状態遷移を行わせることは好ましくない。ユーザによる当該電子機器の使用を阻害するからである。
【０１２７】
上記構成（１）〜（３）によれば、本発明の一態様に係る制御装置は、加速度の大きさと向きとが、それぞれ所定の範囲におさまっている場合、ユーザは上記電子機器を安定した状態（例えば、机の上に乗せた状態）で使用していると推測し（すなわち、ユーザが上記電子機器を真に使用していると判定し）、上記遷移情報を被制御装置に送出しない。
【０１２８】
これにより、上記制御装置は被制御装置に不要な状態遷移を行わせることがないため、ユーザによる当該電子機器の使用を阻害しない。したがって、本発明の一態様に係る制御装置は、ユーザの利便性をさらに向上させることができる。
【０１２９】
また、本発明の制御装置では、
（１）前記取得手段は、前記入力面に接触した面積をさらに取得し、
（２）前記判定手段は、前記取得手段によって取得された面積が第２のしきい値を超過しているか否かをさらに判定し、
（３）前記送出手段は、前記判定手段によって超過していないと判定される場合、前記遷移情報を前記被制御装置に送出しなくともよい。
【０１３０】
ユーザが電子機器を把持するために接触させた指や手のひらは、ユーザが当該電子機器を操作するために接触させた指示具等よりも、接触の面積が大きいことが通常である。
【０１３１】
上記構成（１）〜（３）によれば、本発明の一態様に係る制御装置は、入力面に接触した面積が第２のしきい値を超過している場合、上記遷移情報を被制御装置に送出しない。
【０１３２】
これにより、上記制御装置は被制御装置に不要な状態遷移を行わせることがないため、ユーザによる当該電子機器の使用を阻害しない。したがって、本発明の一態様に係る制御装置は、ユーザの利便性をさらに向上させることができる。
【０１３３】
また、本発明の一態様に係る制御装置では、
（１）前記取得手段は、前記指定された入力面における位置に加わった圧力をさらに取得し、
（２）前記判定手段は、前記取得手段によって取得された圧力が第３のしきい値を超過しているか否かをさらに判定し、
（３）前記送出手段は、前記判定手段によって超過していないと判定される場合、前記遷移情報を前記被制御装置に送出しなくともよい。
【０１３４】
ユーザが電子機器を把持するために接触させた指や手のひらは、ユーザが当該電子機器を操作するために接触させた指示具等よりも、入力面に加わる圧力が大きいことが通常である。
【０１３５】
上記構成（１）〜（３）によれば、本発明の一態様に係る制御装置は、入力面に加わる圧力が第３のしきい値を超過している場合、上記遷移情報を被制御装置に送出しない。
【０１３６】
これにより、上記制御装置は被制御装置に不要な状態遷移を行わせることがないため、ユーザによる当該電子機器の使用を阻害しない。したがって、本発明の一態様に係る制御装置は、ユーザの利便性をさらに向上させることができる。
【０１３７】
また、本発明の一態様に係る制御装置では、
（１）前記送出手段は、前記遷移情報を送出しなかった後、前記取得手段によって取得された角度が変化した場合、当該遷移情報をなお前記被制御装置に送出しなくともよい。
【０１３８】
入力面で検出した情報は、ユーザが本発明の一態様に係る制御装置を含む電子機器を操作するために接触させた指示具等によって入力されたもの（ユーザは上記電子機器を操作中である）と、上記制御装置が判定したことにより、遷移情報を送出しなかった状況を考える。この状況の後、例えばユーザが寝転がった体勢をとったことにより、上記角度が変化したした場合、変化した後もユーザは上記電子機器を操作中と推測できる。
【０１３９】
上記構成（１）によれば、本発明の一態様に係る制御装置は、上記場合で遷移情報をなお被制御装置に送出しない。これにより、上記制御装置は被制御装置に不要な状態遷移を行わせることがないため、ユーザによる当該電子機器の使用を阻害しない。したがって、本発明の一態様に係る制御装置は、ユーザの利便性をさらに向上させることができる。
【０１４０】
また、本発明の一態様に係る制御装置では、
（１）前記送出手段は、前記遷移情報をなお前記被制御装置に送出しないことによって、電子機器の表示面に表示された表示の向きを、当該電子機器に維持させてもよい。
【０１４１】
上記構成（１）によれば、本発明の一態様に係る制御装置は、被制御装置に不要な状態遷移を行わせないだけでなく、上記電子機器に表示の向きを変更させない（表示の向きを維持させる）。
【０１４２】
これにより、角度を変えた前後でユーザは同じ表示を視認できる。したがって、本発明の一態様に係る制御装置は、ユーザの利便性をさらに向上させることができる。
【０１４３】
また、本発明の一態様に係る被制御装置（演算部３０）は、
（１）ユーザの操作により指定された入力面における位置を検知可能であり、所定の性能で処理を実行する第１の状態および前記所定の性能より低い性能で前記処理を実行する第２の状態のいずれか一方の状態で動作可能な被制御装置であって、
（２）上記制御装置から送出された遷移情報を受信する受信手段と、
（３）前記受信手段によって遷移情報が受信された場合、当該遷移情報によって遷移される状態で所定の処理を実行する実行手段とを備えている。
【０１４４】
上記構成（１）〜（３）によれば、本発明の一態様に係る被制御装置は、上記制御装置から遷移情報を受信した場合、当該遷移情報によって遷移される状態（第１の状態または第２の状態）で所定の処理を実行する。なお、所定の処理には、上記被制御装置を含む電子機器が実行する処理（例えば、アプリケーションの起動、他の電子機器との通信など）を広く含む。
【０１４５】
これにより、上記被制御装置は、ユーザが上記電子機器を真に使用している場合には第１の状態で、ユーザが単に上記電子機器を把持している場合には第２の状態で、上記処理を実行できる。
【０１４６】
したがって、本発明の一態様に係る被制御装置は、ユーザに上記電子機器の筐体を容易に把持させることができるため、ユーザの利便性を向上させることができる。
【０１４７】
また、本発明の一態様に係る電子機器（タブレット型端末１００）は、
（１）ユーザの操作により指定された位置を検知可能な入力面を備えた電子機器であって、
（２）上記制御装置と、
（３）上記被制御装置とを含んでよい。
【０１４８】
上記構成（１）〜（３）によれば、本発明の一態様に係る電子機器は、上記制御装置および被制御装置と同じすべての効果を奏する。特に、上記電子機器は、ユーザに当該電子機器の筐体を容易に把持させることができるため、ユーザの利便性を向上させることができる。
【０１４９】
なお、前記情報処理装置はコンピュータによって実現してもよい。この場合には、コンピュータを前記情報処理装置の各手段として動作させることにより、前記情報処理装置をコンピュータで実現させる制御プログラム、およびこれを記録したコンピュータ読み取り可能な記録媒体も本発明の範疇に入る。
【０１５０】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１５１】
〔ソフトウェアによる実現例〕
最後に、制御部１０、演算部３０、タブレット型端末１００の各ブロックは、集積回路（ＩＣチップ）上に形成された論理回路によってハードウェア的に実現してもよいし、ＣＰＵ（Central Processing Unit）を用いてソフトウェア的に実現してもよい。
【０１５２】
後者の場合、制御部１０、演算部３０、タブレット型端末１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備える。そして、本発明の目的は、上述した機能を実現するソフトウェアである制御部１０、演算部３０、タブレット型端末１００の制御プログラムのプログラムコード（実行形式プログラム、中間コードプログラム、ソースプログラム）をコンピュータで読み取り可能に記録した記録媒体を、上記制御部１０、演算部３０、タブレット型端末１００に供給し、そのコンピュータ（またはＣＰＵやＭＰＵ）が記録媒体に記録されているプログラムコードを読み出し実行することによっても、達成可能である。
【０１５３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１５４】
また、制御部１０、演算部３０、タブレット型端末１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５５】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１５６】
本発明は、タブレット型端末、スマートフォン、パーソナルコンピュータなど、ユーザの操作により指定された入力面における位置を検知可能な電子機器等に広く適用できる。
【符号の説明】
【０１５７】
１    遷移情報（遷移情報）
２ａ  位置情報（位置）
２ｂ  角度情報（角度）
２ｃ  加速度情報（加速度）
２ｄ  圧力情報（圧力）
２ｅ  面積情報（面積）
６    中央線（所定の線）
７ａ  ユーザ操作（ユーザの操作）
８    把持領域（所定の領域）
１０    制御部（制御装置）
１１    情報取得部（取得手段）
１１ａ  位置取得部（取得手段）
１１ｂ  角度取得部（取得手段）
１１ｃ  加速度取得部（取得手段）
１１ｄ  圧力取得部（取得手段）
１１ｅ  面積取得部（取得手段）
１２    条件判定部（判定手段）
１２ａ  位置角度判定部（判定手段）
１２ｂ  加速度判定部（判定手段）
１２ｃ  圧力判定部（判定手段）
１２ｄ  面積判定部（判定手段）
１３    情報送出部（送出手段）
３０    演算部（被制御装置）
３１    情報受信部（受信手段）
３２    アプリケーション実行部（実行手段）
４１    入力面（入力面）
７２    表示面（表示面）
１００    タブレット型端末（電子機器）
【図１】
2014063221.tif 000005
【図２】
2014063221.tif 000006
【図３】
2014063221.tif 000007
【図４】
2014063221.tif 000008
【図５】
2014063221.tif 000009
【図６】
2014063221.tif 000010
【図７】
2014063221.tif 000011